(57)【特許請求の範囲】
【請求項１】
外部電源に接続可能な給電端子と、
前記給電端子を介して前記外部電源から供給される電源の電力を変圧する変圧部と、
前記変圧部によって変圧された前記外部電源の電力により充電可能な内部電源と、
前記変圧部によって変圧された外部電源からの電力と、または前記内部電源からの電力との少なくとも一方が供給されることにより動作する動作部と、
前記外部電源及び前記内部電源からの前記動作部への電力の供給を制御する給電制御部と、
前記変圧部におけるエネルギー消費量を検出する検出部と、
を備え、
前記給電制御部は、前記変圧部によって変圧された前記外部電源からの電力を前記動作部へ供給している場合において、前記検出部が検出したエネルギー消費量が第１所定値よりも大きくなったとき、前記動作部への電力供給を前記外部電源から前記内部電源へと切替える
携帯電子機器。
【請求項２】
請求項１に記載の携帯電子機器であって、
前記給電制御部は、前記内部電源の充電量が第２所定値以下になった場合、前記変圧部を介した前記外部電源からの電力を、前記内部電源に供給させる
携帯電子機器。
【請求項３】
請求項１または２に記載の携帯電子機器であって、
前記検出部は、前記変圧部を流れる電流量に基づいて前記エネルギー消費量を検出する携帯電子機器。
【請求項４】
請求項１から３のいずれか１つに記載の携帯電子機器であって、
前記検出部は、前記変圧部におけるエネルギー消費量を前記変圧部の温度に基づいて計測する温度計測部である
携帯電子機器。
【発明の詳細な説明】
【技術分野】
【０００１】
本発明は携帯電話器等の充電可能な内部電源を備えた携帯電子機器に関する。
【背景技術】
【０００２】
従来の携帯電子機器は、携帯される場合は内部電源から電力を補給して動作する。また、従来の携帯電子機器は、ＡＣアダプタ等の外部電源に接続されている場合、当該外部電源から内部電源へ電力を補給すると同時に、当該外部電源からの電力によって携帯電子機器のデバイス群を動作させる（例えば特許文献１、特許文献２）。
【０００３】
図７は、外部電源から、携帯電子機器のデバイス群と、内部電源との両方に電流を供給している様子を示す図である。外部電源から供給される電源は、電圧がたとえば５Ｖほどある。対して、携帯電子機器内部のデバイス群は、たとえば外部電源より低い電圧で動作する。従って、携帯電子機器は、外部電源からの電圧をデバイス群用に最適化するための変圧部を備えている。
【先行技術文献】
【特許文献】
【０００４】
【特許文献１】特開平８−１６７４３２号公報
【特許文献２】特開２００３−４８２４号公報
【発明の概要】
【発明が解決しようとする課題】
【０００５】
従来技術のように、外部電源よりデバイス群へ電力が供給されるとき、変圧部には電流が流れ続ける。その結果、当該変圧部は発熱してしまい、変圧部の発熱によって内部電源が劣化してしまうという問題があった。
【０００６】
本発明は、電池の劣化を抑えることの出来る携帯電子機器を提供することを目的とする。
【課題を解決するための手段】
【０００７】
本発明における携帯電子機器は、外部電源に接続可能な給電端子と、前記給電端子から供給される電気を変圧する変圧部と、前記給電端子から供給される電気を、前記変圧部を介して充電可能な内部電源と、前記給電端子からの前記変圧部を介した電気か、または前記内部電源からの電気かによって動作する動作部と、前記外部電源及び前記内部電源から前記動作部への電気の供給を制御する給電制御部と、を備え、前記給電制御部は、変圧部におけるエネルギー消費量が第１所定値よりも大きい場合、前記内部電源からの電気を前記動作部へ供給し、変圧部におけるエネルギー消費量が前記第１所定値よりも小さい場合、前記変圧部を介した前記外部電源からの電気を前記動作部へ供給することを特徴とする。
【０００８】
さらに好適には、前記給電制御部は、前記内部電源の充電量が第２所定値以下になった場合、前記変圧部を介した前記外部電源からの電気を、前記内部電源に充電させることを特徴とする。
【０００９】
さらに好適には、前記給電制御部は、前記内部電源の充電量が第２所定値以下になった場合、前記変圧部を介した前記外部電源からの電気を、前記内部電源に充電させることを特徴とする。
【００１０】
さらに好適には、前記変圧部における前記エネルギー消費量は、前記変圧部を流れる電流量に基づいて計測されることを特徴とする。
【００１１】
さらに好適には、温度計測部をさらに備え、前記変圧部における前記エネルギー消費量は、前記温度計測部が計測する温度に基づいて算出されることを特徴とする。
【００１２】
さらに好適には、前記温度計測部は、前記内部電源の内部に配されることを特徴とする。
【００１３】
さらに好適には、通信部を備え、前記温度計測部は、前記通信部近傍に備えられることを特徴とする。
【００１４】
さらに好適には、前記温度計測部は、前記変圧部近傍に設けられることを特徴とする。
【００１５】
さらに好適には、前記温度計測部は、サーミスタであり、前記給電制御部は、前記温度計測部によって分圧された電圧に基づき、前記内部電源の有無を検出することを特徴とする。
【００１６】
本発明における第２の観点における携帯電子機器は、外部電源に接続可能な給電端子と、前記給電端子から供給される電気を変圧する変圧部と、前記給電端子から供給される電気を、前記変圧部を介して充電可能な内部電源と、前記給電端子からの前記変圧部を介した電気か、または前記内部電源からの電気かによって動作する動作部と、前記外部電源及び前記内部電源からの前記動作部への電気の供給を制御する給電制御部と、を備え、前記給電制御部は、所定のデバイスが使用されている場合、前記内部電源からの電気を前記動作部へ供給し、所定のデバイスが使用されていない場合、前記変圧部を介した前記外部電源からの電気を前記動作部へ供給することを特徴とする。
【００１７】
更に好適には、前記所定のデバイスは、外部と無線通信を行う無線部であることを特徴とする。
【発明の効果】
【００１８】
本発明の携帯電子機器によれば、電池の劣化を抑えることが出来る。
【図面の簡単な説明】
【００１９】
【図１】図１は、本発明の実施形態に係る携帯電話機１及び充電システムＳＹＳの構成の一例を示すブロック図である。
【図２】図２は、充電器２と、携帯電話器１が有する制御部３、電池２２、給電部２３及びその周辺のデバイスと、について詳しく説明したブロック図である。
【図３】図３は、制御部３および給電部２３における、充電および放電の制御について示した状態遷移図である。
【図４】図４は、制御部３及び給電部２３における制御に基づいて流れる電流の１つの態様を示したものである。
【図５】図５は、制御部３及び給電部２３における制御に基づいて流れる電流の１つの態様を示したものである。
【図６】図６は、制御部３及び給電部２３における制御に基づいて流れる電流の１つの態様を示したものである。
【図７】図７は、従来の充電方法を示した図である。
【発明を実施するための形態】
【００２０】
図１は、本発明の実施形態に係る携帯電話機１及び充電システムＳＹＳの構成の一例を示すブロック図である。充電システムＳＹＳは、携帯電話器１と、携帯電話器１に外部電源からの電力を供給する充電器２とを備えている。充電器２は、例えばコンセントに差し込まれることにより家庭に電力を供給する外部電源と接続され、コンセントから引き込んだ交流電流を直流電流に変換するＡＣアダプタにより構成されている。
【００２１】
携帯電話器１は、制御部３、メモリ４、外部メモリ５、キー操作部６、表示部７、無線部８、アンテナ９、カメラ１０、音声処理部１１、スピーカ１２、マイク１５、放送受信部１３、アンテナ１４を備えている。以下、これら、制御部３、メモリ４、外部メモリ５、キー操作部６、表示部７、無線部８、アンテナ９、カメラ１０、音声処理部１１、スピーカ１２、マイク１５、放送受信部１３、アンテナ１４をまとめてデバイス群と称する。また、このデバイス群は、本発明の動作部の一例である。
【００２２】
制御部３は、例えばＣＰＵがＲＯＭ等に記録されたプログラムを読み出して実行することにより構築され、キー操作部６等の各種手段からの信号に基づいて所定の演算を行い、表示部７等の各種手段の制御を実行する。なお、制御部３は機能実行手段の一例である。メモリ４は、例えばＤＲＡＭにより構成され、制御部３のワーキングメモリとして機能する。外部メモリ５は、例えば着脱式の半導体メモリカードにより構成され、制御部３により適宜にデータが記録される。キー操作部６は例えば複数のキーと、キーにより操作されるスイッチとを含んで構成される。表示部７は、例えば液晶表示装置により構成される。
【００２３】
無線部８（無線通信部）は、不図示の高周波回路を含んで構成され、電波を利用した無線通信を行うために、制御部３で処理された音声データ、画像データ等の各種データを変調して、アンテナ９を介して送信する。また、無線部８は、アンテナ９を介して受信した信号を復調して制御部３に出力する。
【００２４】
携帯電話器１の動作には、待ち受け状態と通信状態とがある。待ち受け状態では、例えば、制御部３は待ち時間だけカウントアップを行い、指定された待ち時間が経過すると無線部８を介して基地局との通信を行う。基地局との通信の結果、携帯電話器１への着信が無ければ、再度待ち時間だけカウントアップを行う。着信があった場合には、ユーザに着信を知らせ、ユーザが所定のキー操作をすることにより、基地局との間で音声データ等の送受信が開始される。待ち時間が繰り返されている状態が待ち受け状態であり、着信等があったことにより基地局との間で音声データ等の送受信を行っている状態が通信状態である。なお、無線部８の待ち受け状態における消費電力は通信状態の消費電力に比較して小さい。
【００２５】
カメラ１０は、写真撮影や動画撮影を行うために設けられている。制御部３は、キー操作部６を介してカメラの起動指示がなされるとカメラを起動する。カメラ１０は、動画撮影開始が指示されるとＣＣＤなどのデバイスを通して取得した画像データを、例えばＭＰＥＧ４規格などに準拠した形式でメモリ４又は外部メモリ５に記録する。また、カメラ１０は、写真撮影開始が指示されると、動画撮影の場合と同様にＣＣＤなどのデバイスを通して取得した画像データを、例えばＪＰＥＧ規格などに準拠した形式でメモリ４又は外部メモリ５に記録する。
メモリ４等の容量は、例えば２〜３時間の撮影に対応する画像データを記録可能に設定され、携帯電話器１は長時間の撮影が可能である。携帯電話器１にはカメラ１０の撮影補助のためにＬＥＤ等により構成されるストロボが設けられていてもよい。なお、カメラデバイスの信号取得、データ格納、ストロボの発光動作等は、無線部８の待ち受け動作等に比較して消費電力が大きい。
【００２６】
音声処理部１１は、制御部３からの音声データを音声信号に変換してスピーカ１２に出
力し、又、マイク１５からの音声信号を音声データに変換して制御部３に出力する。スピーカ１２は、例えば着信時の呼び出し音を出力する。
【００２７】
携帯電話器１では、音声処理部１１は、通話の音声処理だけでなく、音楽再生やゲーム等の音声処理も行う。音楽再生は、例えば不図示のミュージックプレーヤ用に別途専用の回路を備えて、これが音声処理部１１を制御して実現してもよいし、制御部３がメモリ４に記録されるミュージックプレーヤのプログラムを実行することにより音声処理部１１を制御して実現される。ミュージックプレーヤは、ＣＰＵがＲＯＭ等の所定のプログラムを読み込むことにより構築され、ミュージックプレーヤには音声処理部１１等も含まれる。
【００２８】
音楽再生においては、例えば、所定の対価の支払いと引き換えにネットワーク上の所定のサーバから無線部８を介して音楽データをダウンロードする。ダウンロードした音楽データはメモリ４か外部メモリ５に記録される。音楽データは、例えば圧縮された（コード化された）データであり、例えばＭＰ３（Ｍｐｅｇ  ａｕｄｉｏ  ｌａｙｅｒ  ３）である。
【００２９】
圧縮音楽データをデコードするためのコーデックは音声処理部に搭載されており、制御部３は、キー操作部６を介してユーザにより音楽再生が指示されると、この音声処理部のワークエリアをメモリ４に確保し、音楽データのデコードに備える。制御部３は、再生可能な音楽データをメモリ内検索し、再生楽曲リストを作成するとともに表示部７に表示させる。ユーザはキー操作部６を介してリストから再生を希望する曲名等を指定し、再生を指示する。この後、コーデックにて音楽データをデコードし、音声処理部１１によりスピーカ１２から出力する。
【００３０】
不図示のイヤホンが携帯電話器１に接続された場合には、制御部３によりイヤホンの接続が検出される。イヤホンの接続が検出された場合、制御部３は音声処理部１１に、スピーカ１２に代えてイヤホンから音声を出力するように指示する。この場合、音楽再生だけでなく、着信したときの呼び出し音もイヤホンに出力してもよい。
【００３１】
制御部３は、一旦音声処理部にデコード及び音声出力を指示すると、以降は割り込みの発生を監視する。割り込みには、例えば、音楽データ再生終了やエラー発生などの音声処理部からの報告、キー操作部６からの信号、無線部８からの着信報告、タイマからの信号、電池２２の残量低下がある。音楽データの再生停止命令、他曲指定、音量の変更、再生の再開等の音楽再生に関する処理を要すると制御部３が判断すると、音声処理部に対して改めて命令するように処理することにより、音楽再生中における他のメール作成などをマルチタスク風に処理している。特に、バックアップ状態で停止する命令を音声処理部に行う場合は、そのデコードされた音楽データはワークエリアに残しておいてワークエリアを開放せず、その再生していたアドレス及び音量を記録しておいた上で、音声処理部を一時停止させる。再開する際には再びワークエリアを参照し、その状態に基づいて前回と同じ状態にて再生させる。
【００３２】
制御部３は、着信やメールの受信があった場合には、携帯電話器１の内部状態を判定する。例えば、着信の報知が可能か否か判定する。着信の報知が可能と判断した場合は、音声処理部１１に着信音の出力を指示する。なお、着信音には例えば上述の圧縮音楽データであってもよいし、他のＭＩＤＩデータなどであってもよい。
【００３３】
制御部３は、着信発生時に、その着信が音声着信であるか、メール受信あるいはＳＭＳ受信であるかを着信信号から判定する。その上で携帯電話器１の内部状態を判定する。例えば、音楽データが再生中であるか否か、タイマが起動中であるか否かを判定する。音楽データが再生中であり、音楽再生を中断し、着信処理を優先するならば、バックアップした上で音声処理部を一旦停止させ、着信報知のための着信音のデータをメモリから読み出す。ここで、着信音データが音楽データと同種のコーデックを要するものであれば、再度メモリのワークエリアを確保するなり、再生中音楽データのアドレスのみ補間した上でワークエリアを着信音用に確保しなおすなどすればよい。異種のコーデックを必要とする場合は、不図示の他の音声処理部に対し、着信音データの展開を要求することにより対処可能である。この様にして、音楽再生を中断して着信報知を行う。その後、着信報知を音声処理部に指示した後は再び制御部は割り込み監視に戻り、キー入力、筐体の開閉検出信号、着信信号の消滅等を監視する。通話への移行が指示されると通話のための音声処理へと移行するため、音声処理部による着信音再生を停止させ、スピーカ及びマイク１５を用いた通話用コーデックを起動し、通話を処理する。
【００３４】
制御部３は、キー操作部６に対する操作や表示更新が生じると、表示部７の表示内容を更新するだけでなく、バックライトをオンにする。そして割り込みが生じることなくタイムアウトするとバックライトをオフに、あるいは、バックライトに供給される電力を低くする。また、携帯電話機１は、通常のモードと、省電力モードとの間で切り替えることができ、省電力モードでは、例えばタイムアウトの時間が短く設定され、点灯されるバックライトのＬＥＤの数が少なくあるいはＬＥＤが点灯されないように設定される。また、制御部３は、以上のような機能の動作状態やライトの点灯／消灯、モードの状態などの全ての動作状態を示すパラメータを変更が生じる都度、メモリ４に記録していく。そして、割り込みを検出したときにはこの動作状態のパラメータを参照し、現状の動作状態と割り込まれた動作の要求とを比較することも制御部３は行う。
【００３５】
放送受信部１３は、テレビ局等から発信される信号を、アンテナ１４を介して受信し、受信した信号を画像データや音声データに復調して制御部３に出力する。制御部３では放送受信部１３から入力されたデータに基づいて表示部７、音声処理部１１の制御を実行する。
【００３６】
なお、この他、例えば携帯電話器１においてゲームを実行可能に構成してよい。外部メモリ５等にゲームソフトが記録されており、ＣＰＵが当該ゲームソフトを読み込むことにより、第２の機能を実行するゲーム部が携帯電話器１に構築される。ゲーム部は、キー６に対する入力操作に基づく入力信号等に応じてゲームを進行させるとともに、ゲームの進行に伴って音声処理部１１、表示部７等を介して所定の映像や音声を出力する。ゲームソフトは外部メモリに予め記録されていても、無線部８を介してネットワークからダウンロードしてもよい。
【００３７】
携帯電話機１は、更に、充電器２の不図示の充電端子と接続するための外部端子（給電端子）２１と、外部端子２１から供給される電力を充電可能な内部電源としての電池２２と、外部端子２１及び電池２２から制御部３等デバイス群への電力の供給を制御する制御部３／給電部２３（給電制御部、変圧部）と、を備えている。
【００３８】
図２は、図１において示した充電システムＳＹＳのうち、充電器２と、携帯電話器１が有する制御部３、電池２２、給電部２３及びその周辺のデバイスと、について詳しく説明したブロック図である。なお、制御部３、給電部２３、デバイス群および電池２２は、たとえば、１枚の回路基板上に並んで配置される。また、電池２２は、回路基板裏面に配され、回路基板を挟んで電池２２と向かい合う回路基板表面に給電部２３またはデバイス群が配置されてもよい。具体的には、回路基板裏面の半分に電池２２が載置される。そして、回路基板上の電池２２と隣接する位置には、外部電源からの給電を行う給電端子が設けられる。電池２２が配される側とは反対側の回路基板表面には、制御部、給電部２３およびデバイス群が配置される。制御部３、給電部２３は、電源制御を行う回路であるため、隣接して回路基板上に配される。また、電池２２と、回路基板を挟んで向かい合う場所に、制御部３と給電部２３は、配される。
【００３９】
電池２２は、充放電部２２ＢＡＴ及びサーミスタＴＨ１を内部に有する。また、電池２２は、接続端子として電池正極２２ｐ、電池ＩＤ端子２２ＩＤ及び電池負極２２ｍを備える。
【００４０】
充放電部２２ＢＡＴは、充電器２によって供給された電流を貯蔵することにより、電池２２の充電機能を実現する。また、充放電部２２ＢＡＴは、携帯電話器１が充電器２と接続していない場合や、給電部２３が有する電池スイッチ２３ｂがオンになっている場合には、デバイス群へ電流を供給する。なお、電池スイッチ２３ｂについては後に詳述する。
【００４１】
電池正極２２ｐは、給電部２３の給電正極２３ｐと電気的に接続し、充電器２から供給された電流を充放電部２２ＢＡＴへ伝えることにより、充放電部２２ＢＡＴの充電を助ける。また、電池正極２２ｐは、給電部２３の給電正極２３ｐと電気的に接続し、充放電部２２ＢＡＴの電流をデバイス群へ伝える。
【００４２】
電池負極２２ｍは、携帯電話器１が有する接地パターンＧＮＤと接続して電池２２を接地する。
【００４３】
電池ＩＤ端子２２ＩＤは、給電部２３が有する給電部ＩＤ端子２３ＩＤと電気的に接続する。電池ＩＤ端子２２ＩＤは、後に詳述するサーミスタＴＨ１、レギュレータＲＥＧ、抵抗２３Ｒおよび入力端子３ｆと共に、電池２２が携帯電話器１内に装着されたか否かを制御部３が判定するために、用いられる。当該判定の方法については後に詳述する。
【００４４】
サーミスタＴＨ１（検出部）は、抵抗によって構成されている。当該サーミスタＴＨ１は、温度によってその有する抵抗値が変わる。従って、サーミスタＴＨ１における電圧値も温度によって変更する。そして、サーミスタＴＨ１の温度変化に基づいて変化するサーミスタＴＨ１の電圧値は、電池ＩＤ端子２２ＩＤと給電部ＩＤ端子２３ＩＤとを介して制御部３が有する入力端子３ｆによって検出される。つまり制御部３は、入力端子３ｆを介してサーミスタＴＨ１の温度変化を検出する。サーミスタＴＨ１の温度変化を検出することに基づいて制御部３が行う動作については後に詳述する。
【００４５】
給電部２３は、チャージスイッチ２３ｃ、検出抵抗Ｒｓ、電池スイッチ２３ｂ、レギュレータＲＥＧおよび抵抗２３Ｒを有する。
【００４６】
チャージスイッチ２３ｃ（変圧部）は、制御部３が有するチャージスイッチコントロール端子３ａからの信号に基づいて、充電器２から供給される電流を、検出抵抗Ｒｓ側へ流すか否かをスイッチ制御する。つまり、チャージスイッチコントロール端子３ａから電圧が印加されなければ、チャージスイッチ２３ｃは、充電器２から供給される電流を検出抵抗Ｒｓ側へ流さない。逆に、チャージスイッチコントロール端子３ａから電圧が印加されれば、チャージスイッチ２３ｃは、充電器２から供給される電流を検出抵抗Ｒｓ側へ流す。制御部３が、チャージスイッチコントロール端子３ａを介して、どのような場合にチャージスイッチ２３ｃにスイッチ制御させるかについては後に詳述する。また、チャージスイッチ２３ｃは、電圧を降圧させる作用も有する。たとえば充電器２から５Ｖの電圧が印加された場合、チャージスイッチ２３ｃは５Ｖを降圧し、検出抵抗Ｒｓ側へ４．２Ｖの電気の電圧を供給する。
【００４７】
検出抵抗Ｒｓ（検出部）は、検出抵抗Ｒｓ自身やチャージスイッチ２３ｃに流れている電流の電流値を検出するために用いられる。検出抵抗Ｒｓは、たとえば０．２Ωほどの非常に小さい抵抗値を有する抵抗器である。検出抵抗Ｒｓは、チャージスイッチ２３ｃと接続されている側の端部の電圧が、電圧検出端子３ｂによって検出される。同様に、検出抵抗Ｒｓは、電池スイッチ２３ｂと接続されている側の端部の電圧が、電圧検出端子３ｃによって検出される。制御部３は、電圧検出端子３ｂと電圧検出端子３ｃによって検出した電圧値の差分に基づいて、検出抵抗Ｒｓとチャージスイッチ２３ｃとを流れる電流値を計測する。
【００４８】
電池スイッチ２３ｂは、電界効果トランジスタであり、スイッチ制御を行う。具体的には、電池スイッチ２３ｂは、電池スイッチコントロール端子３ｄより印加されることによって、検出抵抗Ｒｓ側からの電流を給電正極２３ｐ側へ流すか否かを制御する。制御部３が、電池スイッチコントロール端子３ｄを介して、どのような場合に電池スイッチ２３ｂにスイッチ制御させるかについては後に詳述する。
【００４９】
また、給電部２３は、充電器２または電池２２からの電流をデバイス群へ供給する経路２３ｌを有する。経路２３ｌは、検出抵抗Ｒｓと電池スイッチ２３ｂとを繋ぐ接続線から分岐して設けられる。
【００５０】
レギュレータＲＥＧは、電池正極２２ｐ、電池スイッチ２３ｂと介して得られる充放電部２２ＢＡＴの電圧を、所定の電圧（たとえば２．８５Ｖ）に調整する。
【００５１】
抵抗２３Ｒは、レギュレータＲＥＧによって調整された電圧を更に降圧する。つまり、レギュレータＲＥＧによって調整された電圧は、抵抗２３Ｒ、サーミスタＴＨ１を介して接地パターンＧＮＤへと繋がるため、レギュレータＲＥＧによって調整された電圧は、抵抗２３ＲとサーミスタＴＨ１によって分圧される。
【００５２】
給電部ＩＤ端子２３ＩＤは、電池ＩＤ端子２２ＩＤと電気的に接続する。そして、給電部ＩＤ端子２３ＩＤは、サーミスタＴＨ１における電圧変化を入力端子３ｆへ伝える。
【００５３】
給電正極２３ｐは、電池正極２２ｐと電気的に接続する。そして、給電正極２３ｐは、充電器２より供給された電流を、電池２２へ伝えることが可能である。また、逆に、給電正極２３ｐは、電池２２から供給された電流を、デバイス群へ伝えることも可能である。
【００５４】
サーミスタＴＨ２（検出部）は、温度によって抵抗値が変化する。サーミスタＴＨ２は、温度が高ければ高いほど、抵抗値が高くなる。また、サーミスタＴＨ２は、一方を電圧検出端子３ｇと接続している。また、サーミスタＴＨ２は、他方を接地パターンＧＮＤと接続している。サーミスタＴＨ２は、通話の送信及び受信が行われている場合において高温になるように、たとえば無線部８などの送受信回路の近傍に配されてもよい。
【００５５】
制御部３は、チャージスイッチコントロール端子３ａ、電圧検出端子３ｂ、電圧検出端子３ｃ、電池スイッチコントロール端子３ｄ、電圧検出端子３ｅ、入力端子３ｆ及び電圧検出端子３ｇを備える。
【００５６】
チャージスイッチコントロール端子３ａは、チャージスイッチ２３ｃを制御する電圧を発生させる。チャージスイッチコントロール端子３ａは、電圧をチャージスイッチ２３ｃに向けて印加することにより、充電器２からの電流を検出抵抗Ｒｓ側へ伝えることが出来る。チャージスイッチコントロール端子３ａがどのような場合に、チャージスイッチ２３ｃへ電圧を印加するかについてはのちに詳述する。
【００５７】
電圧検出端子３ｂは、チャージスイッチ２３ｃと検出抵抗Ｒｓとの間の電圧値を計測する。また、電圧検出端子３ｃも同様に、検出抵抗Ｒｓと電池スイッチ２３ｂとの間の電圧値を計測する。制御部３は、電圧検出端子３ｂ、電圧検出端子３ｃそれぞれにおいて計測された電圧値に基づいて、検出抵抗Ｒｓ及びチャージスイッチ２３ｃに流れる電流値を計測する。
【００５８】
また、電圧検出端子３ｃは、デバイス群へ印加される電圧を計測することも可能である。
【００５９】
電池スイッチコントロール端子３ｄは、電池スイッチ２３ｂを制御する電圧を発生させる。電池スイッチコントロール端子３ｄは、充電器２が携帯電話器１へ電流を供給している場合、電池スイッチ２３ｂに向けて電圧を印加することにより、充電器２からの電流を電池２２へ供給することが可能である。また、電池スイッチコントロール端子３ｄは、電池２２から放電される電流がデバイス群へ供給される場合、電池スイッチ２３ｂを制御して電流が流れるようにする。
【００６０】
電圧検出端子３ｅは、電池正極２２ｐより印加される、電池２２の電圧を計測する。
【００６１】
入力端子３ｆは、前述した抵抗２３Ｒによって降圧された電圧値を計測することが出来る。ところで、入力端子３ｆが計測できる電圧値は、サーミスタＴＨ１がある場合（つまり電池２２が携帯電話器１内に装着されている場合）は、サーミスタＴＨ１と抵抗２３Ｒとの抵抗値の比によって定められる。また、サーミスタＴＨ１が無い場合（つまり電池２２が携帯電話器１内に装着されていない場合）は、サーミスタＴＨ１の抵抗値が無限大と見なされるため、サーミスタＴＨ１がある場合とは異なる電圧値が計測される。
【００６２】
つまり、入力端子３ｆは、このように検出される電圧値が異なることを利用して、電池２２が携帯電話器１内に装着されたか否かを検出することが可能である。
【００６３】
また、入力端子３ｆは、サーミスタＴＨ１の電圧値を計測できる為、当該電圧値に基づいてサーミスタＴＨ１の温度を算出することも可能である。
【００６４】
電圧検出端子３ｇは、サーミスタＴＨ２における電圧値を計測する。制御部３は、電圧検出端子３ｇにサーミスタＴＨ２における電圧値を計測させることにより、サーミスタＴＨ２の抵抗値を算出する。そして、制御部３は、算出されたサーミスタＴＨ２の抵抗値に基づいて、サーミスタＴＨ２の温度を算出する。
【００６５】
図３は、制御部３および給電部２３における、充電および放電の制御について示した状態遷移図である。最初、携帯電話器１は、充電器２に接続されると、電池２２への充電を開始する。このとき、制御部３は、チャージスイッチコントロール端子３ａと電池スイッチコントロール端子３ｄとから電圧を印加して、チャージスイッチ２３ｃと電池スイッチ２３ｂの両方をオンにする（Ｓ１）。つまり、チャージスイッチ２３ｃと電池スイッチ２３ｂの両方は、充電器２からの電流携帯電話器１の内部へ通す。このステップＳ１の場合における電流の流れる様子を示した図が、図４の電流Ｉ１である。つまり、制御部３は、充電が開始された場合、チャージスイッチ２３ｃと電池スイッチ２３ｂとの両方をオンにすることによって充電器２からの電流が電池２２へ充電されるように制御する。同時に、給電部２３が充電器２から供給される電流をデバイス群へ供給するため、デバイス群は、動作することが可能となる。
【００６６】
ところで、電池２２が充電される場合、電池２２の電圧は、充電の度合いに応じて変化する。たとえば、電池２２は、満充電においては、４．２Ｖ以上の電圧を出力し、充電量がゼロに近くなると３Ｖ以下の電圧を出力する。つまり、電池２２の電圧は、電池２２の充電量が多ければ多いほど上昇する。
【００６７】
従って、ステップＳ１において電池２２の充電が開始されると、電池２２の電圧は上昇する。そして、電池２２の電圧が、たとえば４．０Ｖ以上で且つ４．２Ｖよりも小さい場合において（Ｓ２）、サーミスタＴＨ１において計測される温度が高温（たとえば６０度）であるとき、制御部３は、チャージスイッチ２３ｃをオフにする（Ｓ３）。チャージスイッチ２３ｃをオフにする理由は、チャージスイッチ２３ｃから熱が発生することを防ぐ為である。そして、外気の温度などによってサーミスタＴＨ１の温度が下がると、制御部３は、再びチャージスイッチ２３ｃをオンにすることによって、充電を再開する（Ｓ１）。
【００６８】
なお、電池２２の電圧は、前述したように電圧検出端子３ｅによって計測される。
【００６９】
また、電池２２へ対する充電方式は、特に限定されないものの、たとえば定電流定電圧充電（ＣＣ−ＣＶ）によって充電されてもよい。
【００７０】
ステップＳ２において、電池２２が満充電となった場合（換言すれば、たとえば電池２２の電圧が４．２Ｖ以上となった場合）、制御部３は、チャージスイッチ２３ｃのオンを維持したまま、電池スイッチ２３ｂをオフにする（Ｓ４）。図６は、このステップＳ４のときの様子を示した図である。つまり、デバイス群へ供給される電流Ｉ３は、充電器２からのみによって供給される。
【００７１】
つまり、電池２２が満充電になった後、制御部３は、デバイス群及び充電器２から、電池２２を電気的に切り離す。従って、図６に示されている状況である場合においては、電池２２は殆ど電流を消費しない。
【００７２】
以上のように、満充電になった場合、制御部３は、チャージスイッチ２３ｃのオンと、電池スイッチ２３ｂのオフとを維持する。しかしながら、チャージスイッチ２３ｃがオンであり続けると、前述したようにチャージスイッチ２３ｃが発熱してしまう。そこで、ステップＳ４の状態において、制御部３は、所定の条件となった場合、チャージスイッチ２３ｃをオフにし、電池スイッチ２３ｂをオンにする（Ｓ５）。所定の条件とは、たとえば「無線部８が介されて通話機能が動作したとき」、「サーミスタＴＨ１における温度が高温（たとえば４０度以上）となったとき（サーミスタＴＨ１における温度が第１所定値を超えたとき）」、「サーミスタＴＨ２における温度が高温（たとえば４５度以上）となったとき（サーミスタＴＨ２における温度が第１所定値を超えたとき）」、「検出抵抗Ｒｓにおいて検出される電流値が所定値（たとえば２００ｍＡ）よりも大きくなったとき（電流値が第１所定値を超えたとき）」など、チャージスイッチ２３ｃにおけるエネルギー消費量が大きくなることを示す条件が１つでも生じる条件である。
【００７３】
ステップＳ５の状態は、チャージスイッチ２３ｃがオフで電池スイッチ２３ｂがオンという状態であるため、図５に示したように、電流Ｉ２が電池２２からデバイス群へ供給される。つまり、チャージスイッチ２３ｃに電流は流れないために、ステップＳ５の状態においては、チャージスイッチ２３ｃは発熱しない。従って、チャージスイッチ２３ｃは、外気によって冷やされることとなる。
【００７４】
そして、ステップＳ５の状態において、制御部３は、チャージスイッチ２３ｃにおける発熱がおさまった場合に、チャージスイッチ２３ｃをオンにし、電池スイッチ２３ｂをオフにする。つまり、制御部３は、チャージスイッチ２３ｃにおける発熱がおさまった場合に、ステップＳ５の状態からステップＳ４の状態へと遷移する。
【００７５】
制御部３は、たとえば「無線部８が介された通話機能がオフとなる」、「サーミスタＴＨ１における温度が低温となる」、「サーミスタＴＨ２における温度が低温となる」、「検出抵抗Ｒｓにおいて検出される電流値が所定値よりも小さくなる」といった諸条件が全て満たされたときに、チャージスイッチ２３ｃにおける発熱がおさまったと認識する。
【００７６】
このように、制御部３は、電池２２が満充電となった場合において、チャージスイッチ２３ｃにおいて発熱が生じるようなとき、スッテプＳ４の状態とステップＳ５の状態とを繰り返し遷移することによって、チャージスイッチ２３ｃの発熱による電池２２の劣化を防ぐことが可能となる。
【００７７】
ところで、制御部３は、ステップＳ４とステップＳ５の状態を繰り返し遷移する。つまり、携帯電話器１は、電池２２から電流をデバイス群に供給するか（Ｓ５）、充電器２から電流をデバイス群に供給するか（Ｓ４）のいずれか一方の制御しか行わない。従って、ステップＳ５において消費される電池２２の充電量は、段々と減ってゆく。
【００７８】
そこで、制御部３は、ステップＳ４の状態において電池２２の充電量が所定値（第２所定値）よりも小さい場合、電池２２へ対して補充電を開始する（Ｓ６）。制御部３は、充電量が所定値よりも小さいか否かを、電池２２の電圧が所定値（たとえば３．９Ｖ）よりも小さくなったか否かで判断する。
【００７９】
制御部３は、ステップＳ６における補充電を行う場合、チャージスイッチ２３ｃ、電池スイッチ２３ｂの両方をオンにする。つまり、図４において示したように、電流Ｉ１がデバイス群および電池２２へ向けて流れる。なお、ステップＳ６の状態において、前述した所定の条件（ステップＳ４からステップＳ５へ遷移する為の条件）が生じたとしても、制御部３は、ステップＳ５の状態へ遷移しない。何故ならば、ステップＳ６の状態においては、電池２２には充分ではない電気が充電されている状態であるため、所定の条件下では、電池２２の充電が尽きてしまう虞があるためである。
【００８０】
ステップＳ６において補充電が継続され、電池２２が一定量充電された場合（たとえば電池２２の電圧が４Ｖを超えた場合）、制御部３はステップＳ７の状態へ遷移する。そして、ステップＳ７の状態において電池２２が満充電となった場合（たとえば、電池２２の電圧が４．２Ｖ以上となった場合）、制御部３は、ステップＳ４の状態へ遷移し、電池２２の充電量が所定値より小さくまで、ステップＳ４とステップＳ５との状態を遷移する。
【００８１】
また、ステップＳ７の状態において、「無線部８が介されて通話機能が動作したとき」、「サーミスタＴＨ１における温度が高温（たとえば４０度以上）となったとき」、「サーミスタＴＨ２における温度が高温（たとえば４５度以上）となったとき」のいずれか１つの状態となった場合、制御部３はチャージスイッチ２３ｃをオフにして、電池スイッチ２３ｂをオンにする（Ｓ５）。つまり、制御部３は、チャージスイッチ２３ｃによる発熱を抑える制御を開始する。
【００８２】
なお、ステップＳ４の状態からステップＳ６の状態へと遷移したときと同様に、ステップＳ５における状態において、電池２２の充電量が少なくなった場合（たとえば電池２２の電圧が３．９Ｖよりも小さくなった場合）、制御部３は、ステップＳ６の状態へと遷移する。
【００８３】
以上、本発明の構成によれば、チャージスイッチ２３ｃが発熱するような場合においては、チャージスイッチ２３ｃをオフにする制御を行うことができるため、発熱を抑えることが可能となる。特に、本発明によって、電圧が高い状態における電池２２を、高熱による劣化から守ることが可能となる。
【００８４】
また、本発明によると、制御部３の制御は、原則としてステップＳ４とステップＳ５とを遷移する。従って、従来に比べて補充電の回数を減らすことが可能となるため、補充電の繰り返しによる電池２２の劣化を防ぐことも可能となる。
【００８５】
また、本発明の構成によれば、チャージスイッチ２３ｃに流れる電流量に基づいてチャージスイッチ２３ｃをオフにする。つまり、チャージスイッチ２３ｃの動作に基づいて、チャージスイッチ２３ｃの制御を行うため、より精度よくチャージスイッチ２３ｃの発熱をおさえることが出来る。
【００８６】
また、本発明の構成によれば、サーミスタＴＨ１及びサーミスタＴＨ２の温度に基づいてチャージスイッチ２３ｃをオフにするため、チャージスイッチ２３ｃの発熱を直接計測することが出来る。従って、より精度よくチャージスイッチ２３ｃの発熱をおさえることが出来る。
【００８７】
また、本発明の構成によれば、サーミスタＴＨ１は電池２２の内部に配されるため、特に電池２２の高熱による劣化を防ぐのに有効である。
【００８８】
さらに、本発明の構成によれば、サーミスタＴＨ２は、無線部８などの送受信回路の近傍に配される。従って、電流の消費量の大きい無線部８などにおける発熱に基づいて、制御部３は、チャージスイッチ２３ｃをオフにするため、好適にチャージスイッチ２３ｃの発熱をおさえることが出来る。
【００８９】
また、本発明の構成によれば、チャージスイッチ２３ｃはトランジスタであるため、本発明は、降圧とスイッチングとを１つの部品で行うことが出来る。
【００９０】
また、本発明の構成によれば、サーミスタＴＨ１は、電池ＩＤ端子２２ＩＤを介して抵抗２３Ｒおよび入力端子３ｆと電気的に接続する。つまり、サーミスタＴＨ１は、温度の計測に用いられるだけではなく、電池２２の有無の判定にも用いられるため、部品点数を削減することが出来る。
【００９１】
本発明は上述した実施形態には限定されない。
【００９２】
たとえば、サーミスタＴＨ２は、無線部８の近傍に配されるとしたものの、たとえばチャージスイッチ２３ｃの近傍に配されるようにしてもよい。このように配されることにより、制御部３は、チャージスイッチ２３ｃの発熱をより精度よく検出することが可能となる。また、サーミスタＴＨ２は、無線部８の近傍に限らず、デバイス群が実装されている基板の温度が計測できるように配されてもよい。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００９３】
また、上述した実施形態では、実施する携帯電話器１の形状は限定されない。例えば、折り畳み式、ストレート型、スライド型等または他の形式の携帯端末装置であってもよい。
【符号の説明】
【００９４】
１          携帯電話器
２          充電器
３          制御部
３ａ        チャージスイッチコントロール端子
３ｂ        電圧検出端子
３ｃ        電圧検出端子
３ｄ        電池スイッチコントロール端子
３ｅ        電圧検出端子
３ｆ        入力端子
３ｇ        電圧検出端子
２２        電池
２２ＢＡＴ  充放電部
２２ｐ      電池正極
２２ｍ      電池負極
２２ＩＤ    電池ＩＤ端子
ＴＨ１      サーミスタ
ＴＨ２      サーミスタ
２３        給電部
２３ｂ      電池スイッチ
２３ｃ      チャージスイッチ
２３ｐ      給電正極
２３ＩＤ    給電部ＩＤ端子
２３Ｒ      抵抗
２３ｌ      経路
ＲＥＧ      レギュレータ
８          無線部
【図１】
0005558044.tif 000002
【図２】
0005558044.tif 000003
【図３】
0005558044.tif 000004
【図４】
0005558044.tif 000005
【図５】
0005558044.tif 000006
【図６】
0005558044.tif 000007
【図７】
0005558044.tif 000008